(57)【特許請求の範囲】
【請求項１】
ロールスタンドにロール軸がチョックを介して装着され、前記チョックとロール軸が一体となってロール軸の軸方向に沿って交換されるようにしたものであって、
前記ロールスタンドの手前に、ロール軸方向に平行な交換レールが敷設され、該交換レールに交換台車が設置され、
前記チョックのロール軸が貫通突出した部分の直上に平面視Ｔ字状の治具が取付けられ、
前記交換台車において、台車本体の上側に設けた天板には、アーム取付部を介して２本のアームがその先端に設けた第１爪でロール軸端を挟持するように設けられ、前記第１爪の上側には、前記Ｔ字状の治具の溝にはまり込むような第２爪が設けられ、前記２本のアームの間には閉方向に付勢した機構が設けられ、また、前記２本のアームを拡げるようにした爪開閉部が設けられたロール交換装置。
【請求項２】
前記２本のアームの閉状態において、２本のアームに橋架されるロックアームが設けられた請求項１記載のロール交換装置。
【発明の詳細な説明】
【技術分野】
【０００１】
本発明は、ロールスタンドのロールをレール上で平行に引き出し、または押し込んで、ロール交換を行う装置に関する。
【背景技術】
【０００２】
従来の装置では、ロールスタンドの手前にロール軸に対し、筋違いに直交する方向にレールが敷設され、該レールに移動台車が設置され、移動台車の上にロール軸方向に平行な交換レールが敷設され、該交換レールに交換台車が設置されていた。この交換台車において、台車本体の上側に設けた天板には、アーム取付部を介して２本のアームがその先端に設けた第１爪でロール軸端を挟持するように設けられていた。前記２本のアームの間には閉方向に付勢したバネが設けられ、また、前記２本のアームを拡げるようにした爪開閉部が設けられていた。そして、ロール軸端のチョックキャップに設けられた溝に爪を掛けて、ロールの引き出しと押し込みを行っていた。
【先行技術文献】
【特許文献】
【０００３】
【特許文献１】実公平７−２３０４３号公報
【発明の概要】
【発明が解決しようとする課題】
【０００４】
しかしながら、ロータリージョイント付のロールには、溝を設けたチョックキャップが使用できないため、従来の交換装置では爪を掛けて引き出すことができない。従って、専用のアームをロール交換毎に取付ける必要があり、作業時間がかかる。また、チョック形状を統一する場合は多数のチョック改造が必要となるため、コストがかかってしまう。
【０００５】
本発明は上記課題を解決し、チョック形状の異なるロールをアーム（爪）の変更なく、１つの装置で引き出し交換できるようにするロール交換装置を提供することを目的とする。
【課題を解決するための手段】
【０００６】
本発明の課題解決手段は、ロールスタンドにロール軸がチョックを介して装着され、前記チョックとロール軸が一体となってロール軸の軸方向に沿って交換されるようにしたものである。前記ロールスタンドの手前に、ロール軸方向に平行な交換レールが敷設され、該交換レールに交換台車が設置される。前記チョックのロール軸が貫通突出した部分の直上に平面視Ｔ字状の治具が取付けられる。前記交換台車において、台車本体の上側に設けた天板には、アーム取付部を介して２本のアームがその先端に設けた第１爪でロール軸端を挟持するように設けられ、前記第１爪の上側には、前記Ｔ字状の治具の溝にはまり込むような第２爪が設けられ、前記２本のアームの間には閉方向に付勢した機構が設けられ、また、前記２本のアームを拡げるようにした爪開閉部が設けられる。
【０００７】
また、前記２本のアームの閉状態において、２本のアームにロックアーム橋架されるようにした態様を含む。
【発明の効果】
【０００８】
本発明により、チョック形状の異なるロールをアーム（爪）の変更なく、１つの装置で引き出し交換できるようになった。
【図面の簡単な説明】
【０００９】
【図１】本発明の一実施例の正面図である。
【図２】図１の平面図である。
【図３】図２の要部拡大図である。
【図４】図３のＹ４−Ｙ４断面図である。
【図５】図３のＹ５−Ｙ５断面図である
【図６】図３のＹ６−Ｙ６断面図である
【図７】図３のＹ７−Ｙ７断面図である
【図８】図２の要部拡大斜視図である。
【図９】図２の要部拡大斜視図である。
【発明を実施するための形態】
【００１０】
以下に本発明の一実施例を図面に基づき説明する。
図１，図２において、本発明のロール交換装置は、ロールスタンドＳにロール軸ＡがチョックＴを介して装着され、前記チョックとロール軸が一体となってロール軸の軸方向に沿って交換されるようにしたものである。
【００１１】
前記ロールスタンドＳの手前にロール軸Ａに対し、筋違いに直交する方向に移動レール１が敷設され、該レールに移動台車２が設置され、移動台車の上にロール軸方向に平行な交換レール３が敷設され、該交換レール３に交換台車１０が設置される。
【００１２】
図４，図９で、前記チョックＴのロール軸Ａが貫通突出した部分の直上に、平面視Ｔ字状の治具４が取付けられる。
【００１３】
図３〜図６，図９で、前記交換台車１０において、台車本体１０ａの上側に設けた天板１０ｂには、アーム取付部１２とアーム案内部材１３を介して２本のアーム１１がその先端に設けた第１爪１１ｂでロール軸端を挟持するように設けられる。前記第１爪の上側に第２爪１１ｃが設けられ、前記２本のアームの間には閉方向に付勢したバネ１４が設けられる。また、前記２本のアームを拡げるようにした爪開閉部１５が設けられる。
【００１４】
爪開閉部１５において、２本のアームの中間に操作棒１５ａが第１，第２支柱１５ｃ，１５ｄに回動自在に支持される。操作棒１５ａの末端にレバー１５ｂが設けられる。第２支柱１５ｄに近接してロール軸側にカム板１５ｅが固定される。このカム板は楕円形の板であり、その中心に操作棒１５ａが貫通固定される。カム板に接触する当片１５ｆが内側に固定される。
【００１５】
図３，図７で前記２本のアームの閉状態において、２本のアームにロックアーム１６ａが橋架されるようにした爪ロック部１６が設けられる。爪ロック部１６において、アームの側方で操作棒１５ａに平行に取付軸１６ｂが設けられ、これにロックアーム１６ａの基端部が摺動自在に支持され、また、基端部にクランプレバー１６ｃが取付けられる。１６ｄは軸支柱である。
【００１６】
以上において作動状態を説明する。
図１，図２，図８において、第１装置Ｂ１で下側ロール軸Ａを引き出す。交換台車１０がロール軸端に近づいて停止する。このとき２個の第１爪１１ｂ，１１ｂが軸端のキャップＡ１に当たり、バネ１４の引っ張り力に抗して開いてキャップの溝にはまり込む。次に、交換台車１０が後退すると、ロール軸ＡはチョックＴと一体となってスタンドＳのレールＲに車輪で支えられて引き出される。同様にして、第２装置Ｂ２で上側ロール軸を引き出す。
【００１７】
次に図９で、ロール軸端にロータリージョイントＡ２が設けられたものの場合は次のようになる。交換台車１０がロール軸端に近づいて停止する。このとき２個の第２爪１１ｃ，１１ｃがチョックＴの治具４に当たり、バネ１４の引っ張り力に抗して開いて治具４の溝にはまり込む。次に、交換台車１０が後退すると、ロール軸ＡはチョックＴと一体となってスタンドＳのレールＲに車輪で支えられて引き出される。
【００１８】
本発明は前記した実施例や実施態様に限定されず、特許請求の精神および範囲を逸脱せずに種々の変形を含む。
【産業上の利用可能性】
【００１９】
本発明は、ロール交換装置に利用される。
【符号の説明】
【００２０】
Ａ  ロール軸
Ａ１  キャップ
Ａ２  ロータリージョイント
Ｓ  ロールスタンド
Ｔ  チョック
Ｒ  レール
１  移動レール
２  移動台車
３  交換レール
４  治具
Ｂ１  第１交換装置
Ｂ２  第２交換装置
１０  交換台車
１０ａ  本体
１０ｂ  天板
１１  アーム
１１ａ  本体
１１ｂ  第１爪
１１ｃ  第２爪
１２  アーム取付部
１３  アーム案内部材
１４  バネ
１５  爪開閉部
１５ａ  操作棒
１５ｂ  レバー
１５ｃ  第１支柱
１５ｄ  第２支柱
１５ｅ  カム板
１５ｆ  当片
１６  爪ロック部
１６ａ  ロックアーム
１６ｂ  取付軸
１６ｃ  クランプレバー
１６ｄ  軸支柱
【図１】
0005634045.tif 000002
【図２】
0005634045.tif 000003
【図３】
0005634045.tif 000004
【図４】
0005634045.tif 000005
【図５】
0005634045.tif 000006
【図６】
0005634045.tif 000007
【図７】
0005634045.tif 000008
【図８】
0005634045.tif 000009
【図９】
0005634045.tif 000010